(57)【特許請求の範囲】
【請求項１】
第１パケットの第１プリアンブルと、第２パケットの第２プリアンブルとを生成するプリアンブル生成モジュールと、
変調モジュールとを備え、
前記第１パケットは、シングルユーザパケットであり、
前記第１プリアンブルは、（ｉ）第１ショートトレーニングフィールド、（ｉｉ）第１ロングトレーニングフィールド、および、（ｉｉｉ）第１信号フィールドを含み、
前記第１信号フィールドは、無線ネットワーク規格で規定されている超高スループット形式（Ｖｅｒｙ Ｈｉｇｈ Ｔｈｒｏｕｇｈｐｕｔ形式）に準拠し、
前記第２プリアンブルは、前記第１プリアンブルよりも長く、
前記第２パケットは、（ｉ）マルチユーザパケットとしてフォーマットされたマルチユーザパケット、または、（ｉｉ）マルチユーザパケットとしてフォーマットされたシングルユーザパケットであり、
前記第２プリアンブルは、（ｉ）第２ショートトレーニングフィールド、（ｉｉ）第２ロングトレーニングフィールド、および、（ｉｉｉ）第２信号フィールドを含み、
前記第２信号フィールドは、前記無線ネットワーク規格で規定されている前記超高スループット形式に準拠し、
前記変調モジュールは、前記第１プリアンブルの前記第１信号フィールドを、前記第２プリアンブルの前記第２信号フィールドとは異なる態様で変調し、
サブ１ＧＨｚチャネルを介して送信されたパケットを受信したことに応じて、
（ｉ）前記第１信号フィールドと（ｉｉ）前記第２信号フィールドとの変調の違いにより、受信した前記パケットが前記第１パケットであるかまたは前記第２パケットであるかを受信機に判断させ、
前記受信機が、前記第１パケットを処理可能であるが前記第２パケットを処理不可能であり、前記受信機が前記第２パケットを受信した場合には、前記第２プリアンブルの前記第２信号フィールドにより、（ｉ）前記第２パケットの継続期間を前記受信機に特定させ、（ｉｉ）前記第２パケットの前記継続期間の間は前記受信機に前記サブ１ＧＨｚチャネルにアクセスさせない、システム。
【請求項２】
サブ１ＧＨｚチャネルを介して基地局からの前記第１パケットおよび前記第２パケットのうちの少なくとも１つを送信する送信モジュールと、
（ｉ）前記第１信号フィールドと前記第２信号フィールドとの変調の違いに基づいて、クライアント局によって受信されたパケットが前記第１パケットであるかまたは前記第２パケットであるかを判断する受信モジュールとを更に備える、請求項１に記載のシステム。
【請求項３】
前記第１パケットを生成する第１パケット生成器と、
前記第２パケットを生成する第２パケット生成器と
を更に備え、
前記第１パケットは、前記第１プリアンブル、第１の複数のロングトレーニングフィールド、および、シングルユーザに対するデータを含む第１データフィールドを含み、
前記第２パケットは、前記第２プリアンブル、マルチユーザショートトレーニングフィールド、第２の複数のマルチユーザロングトレーニングフィールド、および、シングルユーザまたは複数のユーザに対するデータを含む第２データフィールドを含む、請求項１に記載のシステム。
【請求項４】
前記第１プリアンブルの前記第１ロングトレーニングフィールドを生成する第１ロングトレーニングフィールド生成モジュールを更に備え、
前記第１ロングトレーニングフィールドは、ダブルガードバンドを含み、前記ダブルガードバンドに続いて、第１ロングトレーニングシンボル、第１シングルガードバンドおよび第２ロングトレーニングシンボルを含む、請求項１に記載のシステム。
【請求項５】
前記第２プリアンブルの前記第２ロングトレーニングフィールドを生成する第２ロングトレーニングフィールド生成モジュールを更に備え、
前記第２ロングトレーニングフィールドは、前記ダブルガードバンドを含み、前記ダブルガードバンドに続いて、前記第１ロングトレーニングシンボル、第２シングルガードバンドおよび第３ロングトレーニングシンボルを含み、
前記第２シングルガードバンドは、前記第１シングルガードバンドに対して位相シフトされており、
前記第３ロングトレーニングシンボルは、前記第２ロングトレーニングシンボルに対して位相シフトされている、請求項４に記載のシステム。
【請求項６】
サブ１ＧＨｚチャネルを介して基地局からの前記第１パケットおよび前記第２パケットのうちの少なくとも１つを送信する送信モジュールと、
（ｉ）前記第１シングルガードバンドと前記第２シングルガードバンドとの位相差、および、（ｉｉ）前記第２ロングトレーニングシンボルと前記第３ロングトレーニングシンボルとの位相差に基づいて、クライアント局によって受信されたパケットが前記第１パケットであるかまたは前記第２パケットであるかを判断する受信モジュールとを更に備える、請求項５に記載のシステム。
【請求項７】
前記プリアンブル生成モジュールは、前記第１信号フィールドにおけるビットを第１ステートに設定し、かつ、前記第２信号フィールドにおける前記ビットを第２ステートに設定し、
前記第２ステートは、前記第１ステートとは異なる、請求項１に記載のシステム。
【請求項８】
エンコードモジュールを更に備え、
前記エンコードモジュールは、
前記第１信号フィールドおよび前記第２信号フィールドをエンコードし、
前記第１信号フィールドをデコードするためのデータを前記第１信号フィールドの終わりの部分に含め、
前記第２信号フィールドをデコードするためのデータを前記第２信号フィールドの終わりの部分に含める、請求項７に記載のシステム。
【請求項９】
サブ１ＧＨｚチャネルを介して基地局からの前記第１パケットおよび前記第２パケットのうちの少なくとも１つを送信する送信モジュールと、
受信モジュールと、を更に備え、
前記受信モジュールは、
（ｉ）前記第１信号フィールドの終わりの部分における前記データに基づいて前記第１信号フィールドをデコードする、または、（ｉｉ）前記第２信号フィールドの終わりの部分における前記データに基づいて前記第２信号フィールドをデコードし、
前記第１信号フィールドまたは前記第２信号フィールドに続くフィールドをデコードする前に、前記第１信号フィールドまたは前記第２信号フィールドにおける前記ビットのステートに基づいて、クライアント局が受信したパケットが、前記第１パケットであるかまたは前記第２パケットであるかを判断する、請求項８に記載のシステム。
【請求項１０】
二位相偏移変調が用いられる場合には、前記変調モジュールは、使用されない（ｉ）コンスタレーション軸または（ｉｉ）トーンに、情報を付加し、
前記情報は、パケットが前記第１パケットであるかまたは前記第２パケットであるかを示す、請求項１に記載のシステム。
【請求項１１】
前記第２信号フィールドは、複数のユーザのユーザ固有情報を含み、
前記第２パケットは、前記ユーザ固有情報を搬送するために、前記第２の複数のロングトレーニングフィールドに続く更なる信号フィールドを含まない、請求項３に記載のシステム。
【請求項１２】
前記ユーザ固有情報は、（ｉ）物理層（ＰＨＹ）モード、（ｉｉ）変調および符号化スキーム、（ｉｉｉ）前記複数のユーザの１ユーザ当たりのストリームの数のうちの１または複数を含む、請求項１１に記載のシステム。
【請求項１３】
前記プリアンブル生成モジュールは、前記複数のユーザのそれぞれについてのユーザ固有情報を、前記第２信号フィールド内の別のフィールドに格納する、請求項１１に記載のシステム。
【請求項１４】
前記複数のユーザそれぞれについての前記ユーザ固有情報をまとめてエンコードするエンコードモジュールを更に備え、
前記プリアンブル生成モジュールは、前記複数のユーザそれぞれについてのまとめてエンコードされた前記ユーザ固有情報を、前記第２信号フィールドに格納する、請求項１１に記載のシステム。
【請求項１５】
前記複数のユーザの全てについての、まとめてエンコードされた前記ユーザ固有情報を圧縮するデータ圧縮モジュールを更に備え、
前記プリアンブル生成モジュールは、前記複数のユーザの全てについての、圧縮された、まとめてエンコードされた前記ユーザ固有情報を、前記第２信号フィールドに格納する、請求項１４に記載のシステム。
【請求項１６】
前記プリアンブル生成モジュールは、前記第１信号フィールドに長さフィールドを含み、かつ、前記第２信号フィールドの少なくとも１つに継続期間フィールドを含み、
前記長さフィールドは、前記第１パケットの前記第１データフィールドの長さを示し、
前記継続期間フィールドは、前記第２パケットの前記第２データフィールドの継続期間を示す、請求項３に記載のシステム。
【請求項１７】
前記第１データフィールドの前記長さは、前記第１パケットの前記第１データフィールドに、バイト数の形式で示され、
前記第２データフィールドの前記継続期間は、前記第２パケットの前記第２データフィールドに、シンボル数の形式で示される、請求項１６に記載のシステム。
【請求項１８】
前記第２パケットの前記第２データフィールドの前記継続期間は、前記第２データフィールドに、バイト数の形式で示され、
前記システムは更に、
サブ１ＧＨｚチャネルを介して基地局からの前記第２パケットを送信する送信モジュールと、
（ｉ）前記第２信号フィールドにおける前記バイト数、および、（ｉｉ）前記複数のユーザが使用するデータレートのうちの最も低いデータレートに基づいて、前記第２パケットの前記第２データフィールドの前記継続期間を特定する受信モジュールとを備える、請求項１６に記載のシステム。
【請求項１９】
第１周波数を有する第１クロック信号を生成するクロック生成モジュールを更に備え、
前記第１周波数は、電気電子技術者協会が規定する８０２．１１ｎ規格または８０２．１１ａｃ規格に従って生成された第２クロック信号の第２クロック周波数より低く、
前記プリアンブル生成モジュールは、前記第１クロック信号に基づいて、前記第１プリアンブルおよび前記第２プリアンブルを生成する、請求項１から１８のいずれか一項に記載のシステム。
【請求項２０】
デバイスであって、
請求項１から１９のいずれか一項に記載のシステムと、
前記デバイスから前記第１パケットおよび前記第２パケットのそれぞれを送信するアンテナと
を備える、デバイス。
【請求項２１】
前記デバイスは、基地局またはクライアント局の少なくとも１つを備える、請求項２０に記載のデバイス。
【発明の詳細な説明】
【技術分野】
【０００１】
本開示は、概して、無線通信に関し、より詳細には、サブ１ＧＨｚ周波数帯のプリアンブル設計に関する。
【０００２】
［優先権情報］
本開示は、２０１２年５月４日出願の米国出願13/464,467号および２０１１年５月１６日出願の米国仮出願61/486,713号の優先権を主張する。
［関連出願］
本開示は、２０１２年１月２６日出願の米国出願13/359,336号および２００８年７月１８日出願の米国出願12/175,526号に関連する。上記出願の内容は、参照により本明細書に組み込まれる。
【背景技術】
【０００３】
本発明の理解するための背景を、一般的に説明することを目的として、背景技術を説明する。以下、背景技術の章において説明される範囲および出願時には従来技術として認められていない側面の範囲において、本願発明者の仕事は、本開示に対して明示的にまたは非明示的にも、従来技術であるとは認めていない。
【０００４】
電気電子技術者協会（ＩＥＥＥ）は、無線ローカルエリアネットワーク（ＷＬＡＮ）の規格を規定してきた。規格の一部は、一般的に、８０２．１ｘと記載され、ＷＬＡＮの周波数帯、変調および符号化スキーム、データレートおよびパケット形式等の動作パラメータを規定している。
【０００５】
高データレートを提供するべく、多くのＷＬＡＮが高周波数帯で動作する。例えば、８０２．１１ａ／ｂ／ｇ／ｎ／ａｃ／ａｄ規格に準拠して動作するＷＬＡＮは、２．４ＧＨｚ、５ＧＨｚまたは６０ＧＨｚ周波数帯で動作し、１１Ｍｂｐｓから１Ｇｂｐｓ以上にわたる範囲のデータレートを提供する。このようなＷＬＡＮの通信範囲は、高周波数の動作となることから、相対的に短くなっている。
【０００６】
ＷＬＡＮの通信可能範囲は、動作周波数を下げることにより拡張することができる。しかしながら、低い周波数で動作する場合には、データレートも下がることになる。例えば、８０２．１１ａｈおよび８０２．１１ａｆに準拠するＷＬＡＮは、サブ１ＧＨｚ周波数帯で動作し、広い通信可能範囲を有するが、データレートは、８０２．１１ａ／ｂ／ｇ／ｎ／ａｃ／ａｄ規格に準拠するＷＬＡＮよりも低い。
【発明の概要】
【０００７】
システムは、シングルユーザパケットである第１パケットの第１プリアンブルを生成する第１プリアンブル生成モジュールを備える。第１プリアンブルは、第１ショートトレーニングフィールド、第１ロングトレーニングフィールド、第１信号フィールドおよび第２信号フィールドを含む。第２プリアンブル生成モジュールは、マルチユーザパケットとしてフォーマットされたマルチユーザパケット、または、マルチユーザパケットとしてフォーマットされたシングルユーザパケットである第２パケットの第２プリアンブルを生成する。第２プリアンブルは、第１プリアンブルよりも長い。第２プリアンブルは、第２ショートトレーニングフィールド、第２ロングトレーニングフィールド、第３信号フィールド、および、第４信号フィールドを含む。変調モジュールは、第１プリアンブルの第１信号フィールドおよび第２信号フィールドのうちの少なくとも１つを、第２プリアンブルの第３信号フィールドおよび第４信号フィールドのうちの少なくとも１つとは異なる態様で変調する。
【０００８】
別の特徴では、電気電子技術者協会（ＩＥＥＥ）が規定する８０２．１１ａｈ規格または８０２．１１ａｆ規格に従ってサブ１ＧＨｚチャネルを介して送信されたパケットを受信したことに応じて、
受信機は、（ｉ）第１信号フィールドと第３信号フィールドとの変調の違い、または、（ｉｉ）第２信号フィールドと第４信号フィールドとの変調の違いにより、受信したパケットが第１パケットであるかまたは第２パケットであるかを判断できる。  更に、受信機が、第１パケットを処理可能であるが第２パケットを処理不可能であり、受信機が第２パケットを受信した場合には、受信機は、第２プリアンブルの第３信号フィールドおよび第４信号フィールドのうちの少なくとも１つにより、（ｉ）第２パケットの継続期間を特定し、（ｉｉ）第２パケットの継続期間の間はサブ１ＧＨｚチャネルにアクセスしない。
【０００９】
別の特徴では、変調モジュールは、（ｉ）第１プリアンブルの第１信号フィールドおよび第２信号フィールド、ならびに、（ｉｉ）第２プリアンブルの第３信号フィールドを、第１変調を用いて変調し、第２プリアンブルの第４信号フィールドを、第２変調を用いて変調する。
【００１０】
別の特徴では、システムは、電気電子技術者協会（ＩＥＥＥ）が規定する８０２．１１ａｈ規格または８０２．１１ａｆ規格に従ってサブ１ＧＨｚチャネルを介して基地局からの第１パケットおよび第２パケットのうちの少なくとも１つを送信する送信モジュールを更に備える。システムは更に、（ｉ）第１信号フィールドと第３信号フィールドとの変調の違い、または、（ｉｉ）第２信号フィールドと第４信号フィールドとの変調の違いに基づいて、クライアント局が受信したパケットが第１パケットであるかまたは第２パケットであるかを判断する受信モジュールとを備える。
【００１１】
別の特徴では、システムは、第１パケットを生成する第１パケット生成器を更に備える。第１パケットは、第１プリアンブル、第１の複数のロングトレーニングフィールド、および、シングルユーザに対するデータを含む第１データフィールドを含む。
【００１２】
別の特徴では、システムは、第２パケットを生成する第２パケット生成器を更に備える。第２パケットは、第２プリアンブル、マルチユーザショートトレーニングフィールド、第２の複数のマルチユーザロングトレーニングフィールド、および、シングルユーザまたは複数のユーザに対するデータを含む第２データフィールドを含む。
【００１３】
別の特徴では、第１プリアンブルの第１ロングトレーニングフィールドを生成する第１ロングトレーニングフィールド生成モジュールを更に備える。第１ロングトレーニングフィールドは、ダブルガードバンドを含み、ダブルガードバンドに続いて、第１ロングトレーニングシンボル、第１シングルガードバンドおよび第２ロングトレーニングシンボルを含む。
【００１４】
別の特徴では、システムは、第２プリアンブルの第２ロングトレーニングフィールドを生成する第２ロングトレーニングフィールド生成モジュールを更に備える。第２ロングトレーニングフィールドは、ダブルガードバンドを含み、ダブルガードバンドに続いて、第１ロングトレーニングシンボル、第２シングルガードバンドおよび第３ロングトレーニングシンボルを含む。第２シングルガードバンドは、第１シングルガードバンドに対して位相シフトされている。第３ロングトレーニングシンボルは、第２ロングトレーニングシンボルに対して位相シフトされている。
【００１５】
別の特徴では、システムは、電気電子技術者協会が規定する８０２．１１ａｈ規格または８０２．１１ａｆ規格に従ってサブ１ＧＨｚチャネルを介して基地局からの第１パケットおよび第２パケットのうちの少なくとも１つを送信する送信モジュールを更に備える。システムは更に、ｉ）第１シングルガードバンドと第２シングルガードバンドとの位相差、または、（ｉｉ）第２ロングトレーニングシンボルと第３ロングトレーニングシンボルとの位相差に基づいて、クライアント局が受信したパケットが第１パケットであるかまたは第２パケットであるかを判断する受信モジュールを備える。
【００１６】
別の特徴では、第１プリアンブル生成モジュールは、第１信号フィールドにおけるビットを第１ステートに設定し、第２プリアンブル生成モジュールは、第３信号フィールドにおけるビットを第２ステートに設定する。第２ステートは、第１ステートとは反対のステートである。
【００１７】
別の特徴では、第１信号フィールド、第２信号フィールド、第３信号フィールドおよび第４信号フィールドをエンコードするエンコードモジュールを更に備える。エンコードモジュールは、第１信号フィールドをデコードするためのデータを第１信号フィールドの終わりの部分に含め、第３信号フィールドをデコードするためのデータを第３信号フィールドの終わりの部分に含める。
【００１８】
別の特徴では、システムは、電気電子技術者協会が規定する８０２．１１ａｈ規格または８０２．１１ａｆ規格に従ってサブ１ＧＨｚチャネルを介して、基地局からの第１パケットおよび第２パケットのうちの少なくとも１つを送信する送信モジュールを更に備える。システムは更に、（ｉ）第１信号フィールドの終わりの部分におけるデータに基づいて第１信号フィールドをデコードする、または、（ｉｉ）第３信号フィールドの終わりの部分におけるデータに基づいて第３信号フィールドをデコードし、第２信号フィールドまたは第４信号フィールドをデコードする前に、第１信号フィールドまたは第３信号フィールドにおけるビットのステートに基づいて、クライアント局が受信したパケットが、第１パケットであるかまたは第２パケットであるかを判断する、受信モジュールを備える。
【００１９】
別の特徴では、システムは更に、（ｉ）第１信号フィールドおよび第２信号フィールドをまとめてエンコードし、（ｉｉ）第３信号フィールドおよび第４信号フィールドをまとめてエンコードし、第１信号フィールドおよび第２信号フィールドをデコードするためのデータを第２信号フィールドの終わりの部分に含め、第３信号フィールドおよび第４信号フィールドをデコードするためのデータを第４信号フィールドの終わりの部分に含めるエンコードモジュールを備える。システムは更に、第２パケットを生成するパケット生成器を備える。第２パケットは、第２プリアンブル、マルチユーザショートトレーニングフィールド、複数のマルチユーザロングトレーニングフィールド、および、ペイロードを含む。マルチユーザショートトレーニングフィールドは、複数のシンボルの長さを有する。
【００２０】
別の特徴では、システムは更に、電気電子技術者協会が規定する８０２．１１ａｈ規格または８０２．１１ａｆ規格に従ってサブ１ＧＨｚチャネルを介して、基地局からの第１パケットおよび第２パケットのうちの少なくとも１つを送信する送信モジュールを備える。システムは更に、（ｉ）第２信号フィールドの終わりの部分におけるデータに基づいて第１信号フィールドをデコードする、または、（ｉｉ）第４信号フィールドの終わりの部分におけるデータに基づいて第３信号フィールドをデコードし、第１信号フィールドまたは第３信号フィールドにおけるビットのステートに基づいて、クライアント局が受信したパケットが、第１パケットであるかまたは第２パケットであるかを判断する受信モジュールを備える。受信したパケットが第２パケットであると判断された場合には、マルチユーザショートトレーニングフィールドの長さによって、受信モジュールは、第２パケットの複数のロングトレーニングフィールドを受信する前に、受信モジュールの自動利得制御の利得をリセットする。
【００２１】
別の特徴では、二位相偏移変調が用いられる場合には、変調モジュールは、使用されない（ｉ）コンスタレーション軸または（ｉｉ）トーンに、情報を付加する。情報は、パケットが第１パケットであるかまたは第２パケットであるかを示す。
【００２２】
別の特徴では、第３信号フィールドおよび第４信号フィールドのうちの少なくとも１つが、複数のユーザに対するユーザ固有情報を含み、第２パケットは、ユーザ固有情報を搬送するために、第２の複数のロングトレーニングフィールドに続く更なる信号フィールドを含まない。
【００２３】
別の特徴では、ユーザ固有情報は、（ｉ）物理層（ＰＨＹ）モード、（ｉｉ）変調および符号化スキーム、（ｉｉｉ）複数のユーザの１ユーザ当たりのストリームの数を含む。
【００２４】
別の特徴では、第２プリアンブル生成モジュールは、複数のユーザのそれぞれについてのユーザ固有情報を、第３信号フィールドおよび第４信号フィールドのうちの少なくとも１つ内の別のフィールドに格納する。
【００２５】
別の特徴では、システムは、複数のユーザそれぞれについてのユーザ固有情報をまとめてエンコードするエンコードモジュールを更に備える。第２プリアンブル生成モジュールは、複数のユーザそれぞれについてのまとめてエンコードされたユーザ固有情報を、第３信号フィールドおよび第４信号フィールドのうちの少なくとも１つに格納する。
【００２６】
別の特徴では、システムは、複数のユーザ全てについての、まとめてエンコードされたユーザ固有情報を圧縮するデータ圧縮モジュールを更に備える。第２プリアンブル生成モジュールは、複数のユーザ全てについての、圧縮されてまとめてエンコードされたユーザ固有情報を、第３信号フィールドおよび第４信号フィールドのうちの少なくとも１つに格納する。
【００２７】
別の特徴では、第１プリアンブル生成モジュールは、第１信号フィールドおよび第２信号フィールドのうちの少なくとも１つに、長さフィールドを含む。長さフィールドは、第１パケットの第１データフィールドの長さを示す。第２プリアンブル生成モジュールは、第３信号フィールドおよび第４信号フィールドのうちの少なくとも１つに、継続期間フィールドを含む。継続期間フィールドは、第１パケットの第２データフィールドの継続期間を示す。
【００２８】
別の特徴では、第１データフィールドの長さは、第１パケットの第１データフィールドに、バイト数の形式で示され、第２データフィールドの継続期間は、第２パケットの第２データフィールドに、シンボル数の形式で示される。
【００２９】
別の特徴では、第２パケットの第２データフィールドの継続期間は、第２データフィールドに、シンボル数の形式で示される。システムは更に、電気電子技術者協会が規定する８０２．１１ａｈ規格または８０２．１１ａｆ規格に従ってサブ１ＧＨｚチャネルを介して基地局からの第２パケットを送信する送信モジュールを備える。システムは更に、（ｉ）第３信号フィールドおよび第４信号フィールドのうちの少なくとも１つにおけるバイト数、または、（ｉｉ）複数のユーザが使用するデータレートのうちの最も低いデータレートに基づいて、第２パケットの第２データフィールドの継続期間を特定する受信モジュールを備える。
【００３０】
別の特徴では、第１周波数を有する第１クロック信号を生成するクロック生成モジュールを更に備える。第１周波数は、電気電子技術者協会が規定する８０２．１１ｎ規格または８０２．１１ａｃ規格に従って生成された第２クロック信号の第２クロック周波数より低い。第１プリアンブル生成モジュールは、第１クロック信号に基づいて、第１プリアンブルを生成する。第２プリアンブル生成モジュールは、第１クロック信号に基づいて、第２プリアンブルを生成する。
【００３１】
本発明を適用可能な領域については、以下の詳細な説明、および、添付の特許請求の範囲並びに図面を参照することにより明らかとなるであろう。以下に記載される詳細な説明および具体的な例は、例示することのみを目的としており、本開示を限定することを意図していない。
【００３２】
本開示は、以下の詳細な説明、および、添付の特許請求の範囲並びに図面から完全に理解されるであろう。
【図面の簡単な説明】
【００３３】
【図１】ＩＥＥＥ８０２．１１ａ規格に準拠するパケットを示した図である。
【００３４】
【図２Ａ】ＩＥＥＥ８０２．１１ｎ規格に準拠するパケットを示した図である。
【図２Ｂ】ＩＥＥＥ８０２．１１ｎ規格に準拠するパケットを示した図である。
【図２Ｃ】ＩＥＥＥ８０２．１１ｎ規格に準拠するパケットを示した図である。
【００３５】
【図３Ａ】ＩＥＥＥ８０２．１１ａｃ規格に準拠するパケットを示した図である。
【図３Ｂ】ＩＥＥＥ８０２．１１ａｃ規格に準拠するパケットを示した図である。
【００３６】
【図４】無線ローカルエリアネットワークの機能ブロック図である。
【００３７】
【図５】基地局の機能ブロック図である。
【００３８】
【図６】クライアント局の機能ブロック図である。
【００３９】
【図７】基地局の物理層（ＰＨＹ）の機能ブロック図である。
【００４０】
【図８Ａ】ＩＥＥＥ８０２．１１ａｈ規格およびＩＥＥＥ８０２．１１ａｆ規格のプリアンブル設計の第１セットを示した図である。
【図８Ｂ】ＩＥＥＥ８０２．１１ａｈ規格およびＩＥＥＥ８０２．１１ａｆ規格のプリアンブル設計の第１セットを示した図である。
【図８Ｃ】ＩＥＥＥ８０２．１１ａｈ規格およびＩＥＥＥ８０２．１１ａｆ規格のプリアンブル設計の第１セットを示した図である。
【００４１】
【図９Ａ】マルチユーザパケットとシングルユーザパケットとを識別するためにプリアンブルで使用される様々な変調を示した図である。
【図９Ｂ】マルチユーザパケットとシングルユーザパケットとを識別するためにプリアンブルで使用される様々な変調を示した図である。
【図９Ｃ】マルチユーザパケットとシングルユーザパケットとを識別するためにプリアンブルで使用される様々な変調を示した図である。
【００４２】
【図１０Ａ】マルチユーザパケットとシングルユーザパケットとを識別するためにプリアンブルで使用される様々な変調を示した図である。
【図１０Ｂ】マルチユーザパケットとシングルユーザパケットとを識別するためにプリアンブルで使用される様々な変調を示した図である。
【図１０Ｃ】マルチユーザパケットとシングルユーザパケットとを識別するためにプリアンブルで使用される様々な変調を示した図である。
【００４３】
【図１１Ａ】マルチユーザパケットとシングルユーザパケットとを識別するためにプリアンブルで使用されるロングトレーニングフィールドを示した図である。
【図１１Ｂ】マルチユーザパケットとシングルユーザパケットとを識別するためにプリアンブルで使用されるロングトレーニングフィールドを示した図である。
【００４４】
【図１２Ａ】プリアンブルにおける様々なビット割り当てを示した図である。
【図１２Ｂ】プリアンブルにおける様々なビット割り当てを示した図である。
【００４５】
【図１３Ａ】プリアンブルにおける様々なビット割り当てを示した図である。
【図１３Ｂ】プリアンブルにおける様々なビット割り当てを示した図である。
【図１３Ｃ】プリアンブルにおける様々なビット割り当てを示した図である。
【図１３Ｄ】プリアンブルにおける様々なビット割り当てを示した図である。
【００４６】
【図１４】第２プリアンブルフィールドを消去するために、第１プリアンブルフィールドから第２プリアンブルフィールドにビットを再割り当てする様子を示した図である。
【００４７】
【図１５Ａ】ＩＥＥＥ８０２．１１ａｈ規格およびＩＥＥＥ８０２．１１ａｆ規格の提案されたプリアンブル設計の第２セットを示した図である。
【図１５Ｂ】ＩＥＥＥ８０２．１１ａｈ規格およびＩＥＥＥ８０２．１１ａｆ規格の提案されたプリアンブル設計の第２セットを示した図である。
【００４８】
【図１６】本開示に従って設計されたプリアンブルを生成するおよびプリアンブルを含むパケットを送信する方法を示したフローチャートである。
【００４９】
【図１７】本開示に従って設計されたプリアンブルを含むパケットが、シングルユーザパケットであるかマルチユーザパケットであるかを自動的に判断する方法を示したフローチャートである。
【発明を実施するための形態】
【００５０】
ＩＥＥＥによって規定された規格の一部では、直交周波数分割多重（Orthogonal Frequency Division Multiplexing：ＯＦＤＭ）を使用してパケットの送信を行うことができる。ＯＦＤＭは、パケットが１人のユーザに対するデータを含むシングルユーザ（ＳＵ）モード、および、パケットが複数のユーザに対するデータを含むことができるマルチユーザ複数入力複数出力（ＭＵ−ＭＩＭＯ）モードをサポートしている。ＭＵ−ＭＩＭＯモードでは、複数のアンテナを有する送信機が、異なる複数のユーザに送信される空間ストリームを１つのパケットでビーム形成する。
【００５１】
ＯＦＤＭパケットは、パケットが、シングルユーザ（ＳＵ）パケットか、マルチユーザ（ＭＵ）パケットかを示すプリアンブルを含む。ＳＵパケットを処理可能なデバイスが、ＭＵパケットを受信する場合（すなわち、デバイスが、ＭＵパケットの意図されない受信装置となった場合）、デバイスは、プリアンブルに基づいて、パケットがＭＵパケットであるかを検出し、衝突を避けるために、ＭＵパケットの期間、バックオフする（すなわち、データを送信しない）ことができる。
【００５２】
しかしながら、プリアンブルのマルチユーザ部分は、シングルユーザパケットについては、不必要なオーバーヘッドおよび処理を付加することになる。ＩＥＥＥ８０２．１１ａｈ規格およびＩＥＥＥ８０２．１１ａｆ規格に準拠するＷＬＡＮにおけるデバイスの一部は、ＭＵ−ＭＩＭＯモードをサポートしていない場合がある。したがって、本開示は、オプションとして、ＭＵ−ＭＩＭＯモードをサポートするＩＥＥＥ８０２．１１ａｈ規格およびＩＥＥＥ８０２．１１ａｆ規格のプリアンブル設計を提案する。より詳細には、受信機がＳＵパケットとＭＵパケットの区別を容易にでき、パケットがＳＵパケットまたはＭＵパケットであるかを自動的に検出できるようなプリアンブル設計を提案する。プリアンブル設計には、パケットがＳＵパケットかＭＵパケットであるかを示すのに数多くの方法が存在する。この情報を利用して、受信機がＳＵパケットのみを処理可能であるように見せることができる。
【００５３】
図１には、単入力単出力（ＳＩＳＯ）ＯＦＤＭレガシーデバイスに対する８０２．１１ａ規格に準拠したパケット１００が示されている。本開示において、接頭文字"Ｌ"は、レガシーデバイスのフィールドであることを意味する。パケット１００は、プリアンブルおよびデータを含む。プリアンブルは、ショートトレーニングフィールド（Ｌ−ＳＴＦ）、ロングトレーニングフィールド（Ｌ−ＬＴＦ）および信号フィールド（Ｌ−ＳＩＧ）を含む。パケット１００を受信する受信機は、次のようにプリアンブルを使用する。
【００５４】
Ｌ−ＳＴＦフィールドは、パケット検出、粗い周波数同期、および、受信機の自動利得制御（ＡＧＣ）の利得設定に使用され、パケット１００を処理する。Ｌ−ＬＴＦは、チャネル推定および精密な周波数同期に使用される。Ｌ−ＳＩＧは、パケット１００におけるデータを変調するのに使用される変調および符号化スキーム（ＭＣＳ）のような、物理層（ＰＨＹ）パラメータを示すのに使用される。データは、Ｌ−ＳＩＧフィールドに示された変調および符号化スキーム（ＭＣＳ）を使用して変調されたシングルストリームデータを含む。そして、受信機は、プリアンブルに基づいて、パケット１００のデータを処理することができる。
【００５５】
図２Ａから図２Ｃには、ＭＩＭＯ  ＯＦＤＭデバイスに対する、８０２．１１ｎ規格に準拠したパケット１５０および２００が示されている。図２Ａにおいて、パケット１５０は、８０２．１１ｎ規格に準拠し、レガシー（８０２．１１ａ）デバイスをサポートする（すなわち、後方互換性を有する）混合モード（mixed mode：ＭＭ）プリアンブルを含む。混合モードプリアンブルは、レガシー部分および高スループット（ＨＴ）部分を含み、（受信機においてＡＧＣ利得をリセットするための）それぞれ対応するＳＴＦから開始している。図２Ｂでは、パケット２００は、８０２．１１ｎ規格に準拠し、グリーンフィールド（ＧＦまたはＨＴのみ）プリアンブルを含む。言い換えると、８０２．１１ｎ規格は、混合（ＭＭ）モードプリアンブルおよびグリーンフィールド（ＧＦ）プリアンブルという２種類のプリアンブルをサポートする。
【００５６】
図２Ａでは、混合モードプリアンブルのレガシー部分は、Ｌ−ＳＴＦ、Ｌ−ＬＴＦおよびＬ−ＳＩＧフィールドを含む。更に、混合モードプリアンブルのレガシー部分は、ＨＴ−ＳＩＧフィールドを含む。ＨＴ−ＳＩＧフィールドは、パケット１５０内のデータの変調に称される変調および符号化スキーム（ＭＣＳ）を示す。また、ＨＴ−ＳＩＧフィールドは、プリアンブルのＨＴ部分において、後に続くロングトレーニングフィールド（ＬＴＦ）の数を示す。
【００５７】
プリアンブルのＨＴ部分は、ＨＴ−ＳＦＴ、および、データにおける空間ストリームの数（Ｎｓｔｓ）の数に対応するロングトレーニングフィールド（ＬＴＦ）の数を含む。一例として、データは、ＨＴ−ＳＩＧフィールドに示された変調および符号化スキーム（ＭＣＳ）を使用して変調された２つの空間ストリームを含む。そして、プリアンブルのＨＴ部分は、ＨＴ−ＳＴＦに続く２つのＬＴＦ、ＨＴ−ＬＴＦ１およびＨＴ−ＬＴＦ２を含む。レガシーデバイスがパケット１５０を受信すると、レガシーデバイスは、プリアンブルのレガシー部分をデコードして、当該プリアンブルのレガシー部分（例えば、Ｌ−ＳＩＧフィールドの最後の部分）に基づいてパケット１５０の継続期間を判断し、パケット１５０の継続期間の間バックオフを行う（すなわち、データを送信しない）。
【００５８】
図２Ｂでは、パケット２００は、ＧＦプリアンブルとＨＴデータのみを含む。ＧＦプリアンブルは、ＨＴ−ＧＦ−ＳＴＦ、ＨＴ−ＬＴＦ１、ＨＴ−ＳＩＧ、および、データにおける空間ストリームの数に対応する任意の更なるＬＴＦを含む。一例として、データは、ＨＴ−ＳＩＧフィールドに示された変調および符号化スキーム（ＭＣＳ）を使用して変調された２つの空間ストリームを含む。ＨＴ−ＳＩＧフィールドに続いて、ＨＴ−ＬＴＦ２が含まれる。
【００５９】
図２Ｃには、ＭＩＭＯ  ＯＦＤＭデバイスに対する８０２．１１ｎ規格に準拠するパケット２５０の一例が示されている。パケット２５０は、ＧＦプリアンブルとＨＴデータのみを含む。ＧＦプリアンブルは、ＨＴ−ＧＦ−ＳＴＦ、ＨＴ−ＬＴＦ１、ＨＴ−ＳＩＧ、および、データにおける空間ストリームの数に対応する任意の更なるＬＴＦを含む。一例として、データは、ＨＴ−ＳＩＧフィールドに示された変調および符号化スキーム（ＭＣＳ）を使用して変調された３つまたは４つの空間ストリームを含む。ＨＴ−ＳＩＧフィールドに続いて、３つのＨＴ−ＬＴＦ、ＨＴ−ＬＴＦ２、ＨＴ−ＬＴＦ３およびＨＴ−ＬＴＦ４が含まれる。
【００６０】
図３Ａおよび図３Ｂには、８０２．１１ａｃ規格に準拠するパケット３００が示されている。図３Ａにおいて、パケット３００は、レガシー（８０２．１１ａ）デバイスをサポートする（すなわち、後方互換性を有する）混合モード（mixed mode：ＭＭ）プリアンブルを含む。混合モードプリアンブルは、レガシー部分（共通部分）および超高スループット（Very High Throughput：ＶＨＴ）部分（マルチユーザ（ＭＵ）部分）を含む。パケット３００のプリアンブルは、パケット３００がシングルユーザ（ＳＵ）８０２．１１ａｃパケットであろうと、マルチユーザ（ＭＵ）８０２．１１ａｃパケットであろうと、同じ構造を有する。共通部分は、Ｌ−ＳＴＦ、Ｌ−ＳＴＦおよびＬ−ＳＩＧフィールドを含む。更に、共通部分は、第１の超高スループット（ＶＨＴ）ＳＩＧフィールド、すなわち、ＶＨＴＳＩＧＡを含む。ＭＵ部分は、１つのＶＨＴＳＴＦ、複数のＶＨＴＬＴＦ、および、第２ＶＨＴ  ＳＩＧフィールドすなわちＶＨＴＳＩＧＢを含む。
【００６１】
パケット３００がＭＵパケットである場合、ＶＨＴＳＩＧＡフィールドは、パケット３００を受信するユーザに共通の能力を示し、ＶＨＴＳＩＧＢフィールドは、パケット３００を受信するユーザ各々についての能力（例えば、ＭＣＳ）を示す。パケット３００を受信する受信機はそれぞれ、その他の受信装置に対するチャネルを決定することができる。パケット３００を受信する一の受信機が複数のアンテナを有する場合、受信機は、その他の受信機のチャネルの情報に基づいて、その他の受信機に対するパケット３００に含まれる信号によって発生する干渉を打ち消すことができる。
【００６２】
パケット３００がＳＵパケットである場合、ＶＨＴＳＩＧＡフィールドは、パケット３００を受信するユーザの能力（例えば、ＭＣＳ）を示す。パケット３００はしかしながら、パケット３００がＳＵパケットであるかＭＵパケットであるかに関係なく、ＶＨＴＳＩＧＢフィールドを含む。言いかえると、パケット３００のプリアンブルは、パケット３００がＳＵパケットであっても、ＭＵ部分を不必要に含んでいる。
【００６３】
図３Ｂには、Ｌ−ＳＩＧ、ＶＨＴＳＩＧＡおよびＶＨＴＳＩＧＢフィールドにおけるシンボルの変調の例が示されている。一例として、ＶＨＴＳＩＧＡフィールドは、異なる変調方式で変調された２つのシンボルを含む。例えば、第１シンボルは、二位相偏移変調（binary phase shift keying：ＢＰＳＫ）を使用して変調され、第２シンボルは、ＱＢＰＳＫ変調を使用して変調されてもよく、ＱＢＰＳＫ変調は、ＢＰＳＫに対して９０°位相シフトされた変調である。反対に、図２Ａに示したパケット１５０では、ＨＴ−ＳＩＧフィールドにおけるシンボルは、同じ変調方式（例えば、ＢＰＳＫ）を使用して変調される。したがって、受信機は、レガシーフィールドに続くフィールドにおけるシンボルの変調（例えば、ＨＴ−ＳＩＧフィールドまたはＶＨＴＳＩＧＡフィールドにおけるシンボルの変調）が、同じであるか（８０２．１１ｎパケットであることを示す）または異なっているか（８０２．１１ａｃパケットであることを示す）によって、パケットが、８０２．１１ｎパケットであるかまたは８０２．１１ａｃパケットであるかを判断することができる。
【００６４】
８０２．１１ａｈおよび８０２．１１ａｆ規格では、多くのデバイスがマルチユーザＭＩＭＯモードをサポートしていないことから、ＭＵ−ＭＩＭＯモードのサポートをオプションとしてのみ提供することによって、シングルユーザパケットのプリアンブル設計を単純化することができる。プリアンブルのＭＵ部分は、ＭＵパケットにのみ存在する。また、８０２．１１ａｈおよび８０２．１１ａｆ規格では、８０２．１１ｎ／ａｃ規格と比較して非常に低い帯域幅を提供することから、本開示に示される８０２．１１ａｈおよび８０２．１１ａｆ規格に対するプリアンブル設計は、８０２．１１ｎ／ａｃ規格のプリアンブルと比較してダウンクロックされている。すなわち、本開示に示される８０２．１１ａｈおよび８０２．１１ａｆ規格に対するプリアンブルを生成するのに使用されるクロックは、Ｎで割った値であり、ここでＮは１より大きい整数である。例えば、Ｎ＝１０である。
【００６５】
本開示に示される８０２．１１ａｈおよび８０２．１１ａｆ規格に対するプリアンブル設計で使用される基準は、次のとおりである。意図されないシングルユーザ（ＳＵ）受信機は、受信したパケットのプリアンブルの一部分のみをデコードし、パケットの継続期間を判断して、そのパケットの継続期間はバックオフする。意図されないＳＵ受信機は、プリアンブルのＭＵ部分全てをデコードする必要がない。そこで、プリアンブルのＭＵ部分がなりすまし、ＳＩＧフィールドにおける情報に基づく正しいパケット継続期間をＳＵ受信機に知らせ、ＳＵ受信機は、その正しいパケット継続期間の間、バックオフし、クリアチャネル評価（clear channel assessment：ＣＣＡ）を確保することができる、ＭＵ−ＭＩＭＯ受信機またはＳＵ受信機は、プリアンブルがＭＵプリアンブルかＳＵプリアンブルかを容易に自動検出することができる。
【００６６】
詳細には、ＳＵプリアンブルおよびＭＵプリアンブルに対する２つのオプションについて開示する。第１オプションでは、ＳＵプリアンブルは、グリーンフィールドに基づき、複数のフィールドの１つのセグメントを含む。ＭＵプリアンブルは、混合モードに基づき、ＭＵ部分の共通部分を含む。第２オプションでは、ＳＵプリアンブルおよびＭＵプリアンブルは、混合モードに基づく。これらのオプションについて詳細に説明する前に、本開示に従うプリアンブルを生成し、これらプリアンブルを含むパケットを送信する基地局、および、パケットを受信しこれらプリアンブルを処理するクライアント局について説明する。
【００６７】
図４には、本開示に従うＷＬＡＮ４００が示されている。ＷＬＡＮ４００は、８０２．１１ａｈおよび８０２．１１ａｆ規格に従って動作する。ＷＬＡＮ４００は、基地局４０２、および、複数のクライアント局４０４−１、・・・４０４−Ｎを含み、ここで、Ｎは１より大きい整数である（クライアント局４０４と総称する）。基地局４０２およびクライアント局４０４は、８０２．１１ａｈおよび８０２．１１ａｆ規格に準拠する。
【００６８】
基地局４０２は、複数のアンテナ４０６−１、・・・４０６−Ｎを含み、ここで、Ｎは１より大きい整数である（アンテナ４０６と総称する）。基地局４０２は、物理層（ＰＨＹ）４０８、媒体アクセス制御（ＭＡＣ）４１０およびプロセッサ４１２を有する。ＰＨＹ４０８は、アンテナ４０６を介して無線チャネルと通信を行う送信機（ＴＸ）４１４および受信機（ＲＸ）４１６を含む。送信機４１４および受信機４１６は、送受信機と称される場合もある。
【００６９】
ＰＨＹ４０８は、送信機４１４によって送信されるデータをエンコードおよび変調し、受信機４１６によって受信されるデータを復調およびデコードする。ＭＡＣ４１０は、ＰＨＹ４０８の無線チャネルへのアクセスを制御する。プロセッサ４１２は、送信機４１４によって送信されるデータおよび受信機４１６によって受信されるデータを処理する。プロセッサ４１２は更に、基地局４０２のその他の機能を実行する。
【００７０】
クライアント局４０４−１は、複数のアンテナ４２６−１、・・・４２６−Ｎを含み、ここで、Ｎは１以上の整数である（アンテナ４２６と総称する）。基地局４０４−１は、物理層（ＰＨＹ）４２８、媒体アクセス制御（ＭＡＣ）４３０およびプロセッサ４３２を有する。ＰＨＹ４２８は、アンテナ４２６を介して無線チャネルと通信を行う送信機（ＴＸ）４３４および受信機（ＲＸ）４３６を含む。送信機４３４および受信機４３６は、送受信機と称される場合もある。
【００７１】
ＰＨＹ４２８は、送信機４３４によって送信されるデータをエンコードおよび変調し、受信機４３６によって受信されるデータを復調およびデコードする。ＭＡＣ４３０は、ＰＨＹ４２８の無線チャネルへのアクセスを制御する。プロセッサ４３２は、送信機４３４によって送信されるデータおよび受信機４３６によって受信されるデータを処理する。プロセッサ４３２は更に、基地局４０４−１のその他の機能を実行する。その他のクライアント局４０４のうちの１以上が、クライアント４０４−１と同様であってもよい。その他のクライアント局４０４のうちの１以上が、１つのアンテナまたは複数のアンテナを有してもよい。
【００７２】
図５には、基地局４０２が詳細に示されている。ＰＨＹ４０８は、クロック生成モジュール４５０、プリアンブル生成モジュール４５２、パケット生成モジュール４５４、送信モジュール４５６を備える。クロック生成モジュール４５０は、プリアンブル生成モジュール４５２およびパケット生成モジュール４５４が使用するクロック信号を生成する。クロック生成モジュール４５０は、基地局４０２のその他の構成要素が使用するクロック信号も生成する。プリアンブル生成モジュール４５２は、以下に詳細に説明するようにプリアンブルを生成する。パケット生成モジュール４５４は、プリアンブル生成モジュール４５２によって生成されるプリアンブルを含むパケットを生成する。送信モジュール４５６は、パケット生成モジュール４５４が生成したパケットを送信する。例えば、送信モジュール４５６は、送信機４１４を含んでもよい。
【００７３】
図６には、クライアント局４０４のうちの１つが詳細に示されている。ＰＨＹ４２８は、復調モジュール４７０、デコードモジュール４７２、自動利得制御（ＡＧＣ）モジュール４７４、ペイロード処理モジュール４７６、チャネル推定モジュール４７８および同期モジュール４８０を備える。復調モジュール４７０は、ＰＨＹ４２８が受信したパケットを復調する。具体的には、復調モジュール４７０は最初に、パケットのプリアンブルの一部分を復調して、以下に詳細に説明するように、パケットがＳＵパケットかＭＵパケットであるかを判断する。デコードモジュール４７２は、パケットをデコードする。具体的には、デコードモジュール４７２は、最初に、パケットのプリアンブルの一部分のみをデコードし、パケットの継続期間を判断して、必要であれば、以下に詳細に説明するようにそのパケットの継続期間はバックオフする。ＡＧＣモジュール４７４は、ＰＨＹ４２８の構成要素の利得を調整する。
【００７４】
チャネル推定モジュール４７８は、パケットのプリアンブルの一部分に基づいてチャネル推定を生成し、フィードバックをＡＧＣモジュール４７４に提供する。ＡＧＣモジュール４７４は、チャネル推定に基づいて利得を制御して、ペイロード処理モジュール４７６が適切にパケットを処理できるようにする。同期モジュール４８０は、パケットのプリアンブルの一部分に基づいて周波数同期を実行して、ペイロード処理モジュール４７６が適切にパケットを処理できるようにする。
【００７５】
図７には、基地局４０２のＰＨＹ４０８が詳細に示されている。ＰＨＹ４０８は、第１プリアンブル生成モジュール５００、第２プリアンブル生成モジュール５０２、変調モジュール５０４、第１パケット生成モジュール５０６、第２パケット生成モジュール５０８、第１ロングトレーニングフィールド（ＬＴＦ）生成モジュール５１０、第２ＬＴＦ生成モジュール５１２、エンコードモジュール５１４、データ圧縮モジュール５１６および送信モジュール４５６を備える。これらモジュールそれぞれの動作は、更なる図面を参照して以下で説明される。
【００７６】
図８Ａから図８Ｃを参照して、本開示の第１オプションに従うプリアンブル設計について示す。図８Ａには、グリーンフィールドモードに基づくＳＵプリアンブルを含むシングルユーザ（ＳＵ）パケット６００が示されている。図８Ｂには、混合モードに基づくＭＵプリアンブルを含むＭＵパケット６５０が示されている。図８Ｃには、混合モードに基づくＭＵプリアンブルを含むパケット６９０が示されている。
【００７７】
図８Ａでは、ＳＵプリアンブルは、ショートトレーニングフィールド（ＳＴＦ）を１つのみ含む。ＳＵプリアンブルは、レガシー部分を含まない。ＳＵプリアンブルは、ＳＴＦ、ＬＴＦ１、ＶＨＴＳＩＧＡ１フィールド、ＶＨＴＳＩＧＡ２フィールドおよび残りのＬＴＦを含む。ＳＵプリアンブルの後には、ＶＨＴデータが続く。
【００７８】
図８Ｂでは、ＭＵプリアンブルは、共通部分およびＭＵ部分を含む。共通部分は、ＳＴＦ、ＬＴＦ１、ＶＨＴＳＩＧＡ１フィールドおよびＶＨＴＳＩＧＡ２フィールドを含む。ＭＵ部分は、ＭＵ−ＳＴＦから始まり、ＶＨＴＳＩＧＡ１およびＶＨＴＳＩＧＡ２フィールド（ＶＨＴＳＩＧＡフィールドと総称する）が続く。ＭＵ部分は、パケットがアドレスされる全てのユーザの全ての空間ストリームをトレーニングするＭＵ−ＳＴＦ、ＭＵＬＴＦ（すなわち、ＶＨＴＬＴＦ）、および、必要に応じて（点線で示されている）ＶＨＴＳＩＧＢフィールドを含む。ＭＵプリアンブルの後ろには、ＭＵデータが続く。
【００７９】
ＳＵプリアンブルおよびＭＵプリアンブルにおけるＶＨＴＳＩＧＡフィールドは、ＳＵ受信機およびＭＵ受信機の両方がデコード可能である。ＳＵ受信機が、ＭＵパケット６５０を受信する場合、ＳＵ受信機はＶＨＴＳＩＧＡフィールドをデコードし、ＭＵパケット６５０の継続期間を判断し、ＭＵパケット６５０の継続期間の間はバックオフする。
【００８０】
ＳＵかＭＵかを示す情報（すなわち、パケットがＳＵパケットかＭＵパケットであるか）は、以下に説明するように様々な態様で、ＳＵプリアンブルおよびＭＵプリアンブルのＶＨＴＳＩＧＡフィールドに示される。基本的には、ＳＵ／ＭＵを示す情報は、受信機に対して、ＭＵＳＴＦフィールドがプリアンブルに存在するかを示す。したがって、意図されない受信機（例えば、ＭＵパケット６５０を受信するＳＵ受信機）および意図した受信機（例えば、ＳＵパケット６００を受信するＳＵ受信機またはＭＵパケット６５０を受信するＭＵ受信機）は、受信したパケットがＳＵパケット６００またはＭＵパケット６５０かを自動検出することができる。ＳＵ／ＭＵを示す情報は、意図されない受信機に対して、正確なパケット継続期間になりすますことができる。意図したＭＵ受信機は、ＭＵＳＴＦに基づいて、ＡＧＣの利得をリセットをする準備をすることができる。
【００８１】
図８Ｃでは、ＭＵプリアンブルの共通部分は、必要に応じて、ＶＨＴＳＩＧ１フィールドおよびＶＨＴＳＩＧ２フィールドに対してプリペンド（prepend）されたレガシー信号フィールドＬＳＩＧ（またはＶＨＴＳＩＧ０）を含んでもよい。ＶＨＴＳＩＧ０、ＶＨＴＳＩＧ１、ＶＨＴＳＩＧ２を、ＳＵ／ＭＵを示す情報を提供し、意図されない受信機に正確なパケット継続期間でスプーフするのに使用してもよい。
【００８２】
図９Ａから図９Ｃに示すように、ＶＨＴＳＩＧＡフィールドを異なるように変調することによって、ＳＵ／ＭＵを示す情報を提供することができる。図９Ａには、８０２．１１ａパケット７００のプリアンブルが示されている。図９Ｂには、グリーンフィールドモードに基づくＳＵプリアンブルを含むシングルユーザ（ＳＵ）パケット７２０が示されている。図９Ｃには、混合モードに基づくＭＵプリアンブルを含むＭＵパケット７５０が示されている。
【００８３】
８０２．１１ａプリアンブルは、ＧＦモードに基づくＳＵプリアンブルと共に使用することにより、８０２．１１ａｈおよび８０２．１１ａｆＷＬＡＮで使用可能であってもよい。ＳＵ／ＭＵ検出は、ＶＨＴＳＩＧＡ２フィールドに基づく。例えば、図７に示すように、基地局４０２の変調モジュール５０４は、二位相偏移変調（binary phase shift keying：ＢＰＳＫ）を使用して８０２．１１ａパケット７００のプリアンブルのおけるレガシー信号フィールドＬＳＩＧを変調してもよい。変調モジュール５０４は、ＱＢＰＳＫ変調を使用してＳＵパケット７２０のＳＵプリアンブルにおけるＶＨＴＳＩＧＡ１フィールドおよびＶＨＴＳＩＧＡ２フィールドを変調してもよく、ＱＢＰＳＫ変調は、ＢＰＳＫに対して９０°位相シフトされた変調である。変調モジュール５０４は、それぞれＱＢＰＳＫ変調およびＢＰＳＫ変調を使用して、ＭＵパケット７５０のＭＵプリアンブルの共通部分におけるＶＨＴＳＩＧＡ１フィールドおよびＶＨＴＳＩＧＡ２フィールドを変調してもよい。このように、ＳＵパケット７２０のＳＵプリアンブルにおけるＶＨＴＳＩＧＡ２フィールドは、ＭＵパケット７５０のＭＵプリアンブルの共通部分におけるＶＨＴＳＩＧＡ２フィールドとは異なって変調される。変調の違いは、受信機に対して、受信したパケットがＳＵパケット７２０であるかＭＵパケット７５０であるかを示す。
【００８４】
上記のような変調の違いを提供するＳＵプリアンブルおよびＭＵプリアンブルにおけるＶＨＴＳＩＧＡフィールドの変調に使用されるその他の変調の組み合わせについて記載する。例えば、ＭＵプリアンブルでは、ＶＨＴＳＩＧＡ１−ＢＰＳＫとＶＨＴＳＩＧＡ２−ＱＢＰＳＫ（１１ａｈ／１１ａｆに平行して規定されている１１ａプリアンブルが存在しない場合）、ＶＨＴＳＩＧＡ１−ＱＢＰＳＫとＶＨＴＳＩＧＡ２−ＱＢＰＳＫ、ＶＨＴＳＩＧＡ１−ＢＰＳＫとＶＨＴＳＩＧＡ２−ＢＰＳＫ（１１ａｈ／１１ａｆに平行して規定されている１１ａプリアンブルが存在しない場合）、および、ＶＨＴＳＩＧＡ１−ＱＢＰＳＫとＶＨＴＳＩＧＡ２−ＢＰＳＫ。ＳＵプリアンブルでは、ＶＨＴＳＩＧＡにおける少なくとも１つのシンボルが、ＭＵプリアンブルとは異なって変調される。
【００８５】
すなわち、ＳＵプリアンブルおよびＭＵプリアンブルにおけるＶＨＴＳＩＧＡフィールドは、異なる態様で変調されるので、ＭＵプリアンブルにおけるＶＨＴＳＩＧＡ１フィールドおよび／またはＶＨＴＳＩＧＡ２フィールドの変調は、ＳＵプリアンブルにおける対応するフィールドに対して位相シフト（例えば、９０°）いるようにすることができる。例えば、ＳＵプリアンブルおよびＭＵプリアンブルにおけるＶＨＴＳＩＧＡフィールドは、次に示すような態様のうちの１つで変調されてもよい。（１）ＳＵ→ＶＨＴＳＩＧＡ１−ＢＰＳＫ、ＶＨＴＳＩＧＡ２−ＱＢＰＳＫ、ＭＵ→ＶＨＴＳＩＧＡ１−ＱＢＰＳＫ、ＶＨＴＳＩＧＡ２−（Ｑ）ＢＰＳＫ、（２）ＳＵ→ＶＨＴＳＩＧＡ１−ＢＰＳＫ、ＶＨＴＳＩＧＡ２−ＱＢＰＳＫ、ＭＵ→ＶＨＴＳＩＧＡ１−ＢＰＳＫ、ＶＨＴＳＩＧＡ２−ＢＰＳＫ、（３）ＳＵ→ＶＨＴＳＩＧＡ１−ＱＢＰＳＫ、ＶＨＴＳＩＧＡ２−ＱＢＰＳＫ、ＭＵ→ＶＨＴＳＩＧＡ１−ＢＰＳＫ、ＶＨＴＳＩＧＡ２−（Ｑ）ＢＰＳＫ、（４）ＳＵ→ＶＨＴＳＩＧＡ１−ＱＢＰＳＫ、ＶＨＴＳＩＧＡ２−ＱＢＰＳＫ、ＭＵ→ＶＨＴＳＩＧＡ１−ＱＢＰＳＫ、ＶＨＴＳＩＧＡ２−ＢＰＳＫ、（５）ＳＵ→ＶＨＴＳＩＧＡ１−ＢＰＳＫ、ＶＨＴＳＩＧＡ２−ＢＰＳＫ、ＭＵ→ＶＨＴＳＩＧＡ１−ＱＢＰＳＫ、ＶＨＴＳＩＧＡ２−（Ｑ）ＢＰＳＫ、（６）ＳＵ→ＶＨＴＳＩＧＡ１−ＢＰＳＫ、ＶＨＴＳＩＧＡ２−ＢＰＳＫ、ＭＵ→ＶＨＴＳＩＧＡ１−ＢＰＳＫ、ＶＨＴＳＩＧＡ２−ＱＢＰＳＫ、（７）ＳＵ→ＶＨＴＳＩＧＡ１−ＱＢＰＳＫ、ＶＨＴＳＩＧＡ２−ＢＰＳＫ、ＭＵ→ＶＨＴＳＩＧＡ１−ＢＰＳＫ、ＶＨＴＳＩＧＡ２−（Ｑ）ＢＰＳＫ、および、（８）ＳＵ→ＶＨＴＳＩＧＡ１−ＱＢＰＳＫ、ＶＨＴＳＩＧＡ２−ＢＰＳＫ、ＭＵ→ＶＨＴＳＩＧＡ１−ＱＢＰＳＫ、ＶＨＴＳＩＧＡ２−ＱＢＰＳＫ。図７に示す変調モジュール５０４は、これらの変調を実行する。
【００８６】
受信機がＳＵ受信機であるかＭＵ受信機であるかに関わらず、ＶＨＴＳＩＧＡフィールドをデコードする前に、受信機は、受信したパケットがＳＵパケットであるかＭＵパケットであるかを検出する必要があり、それによって、受信機はマルチユーザショートトレーニングフィールド（ＭＵＳＴＦ）が、ＶＨＴＳＩＧＡフィールドフィールドに続くのか（およびＶＨＴＳＩＧＢフィールドが全てのＭＵＬＴＦ（全てのＶＨＴＬＴＦ）の後に続くのか）を知ることができる。
【００８７】
図１０Ａ、図１０Ｂおよび図１０Ｃに示すように、８０２．１１ａプリアンブル（すなわち、図１０Ａに示すレガシーパケット８００）が平行に許可され、ＭＵプリアンブルが３つのＳＩＧシンボル（すなわち、図１０Ｃに示すようにＬＳＩＧフィールドも含む）を含む場合、ＳＵであるかＭＵであるかを示す情報が、ＭＵパケット８５０のＬＳＩＧ／ＶＨＴＳＩＧＡ０フィールドとＶＨＴＳＩＧＡ１フィールドの両方に含まれる。したがって、受信機は、受信したパケットがＳＵパケット８２０であるかまたはＭＵパケット８５０であるかを自動検出する。
【００８８】
次に、図１１Ａおよび図１１Ｂに示すように、ＳＵであるかＭＵであるかを示す情報を提供する更なる態様について説明する。上記したＶＨＴＳＩＧＡ変調に加えてまたは替えて、３つの態様を使用することができる。例えば、ロングトレーニングフィールドＬＴＦ１を使用して、ＳＵ／ＭＵを示す情報を提供してもよい。図１１Ａでは、ＳＵプリアンブルのＬＴＦ１フィールドが示されている。図１１Ｂには、ＭＵプリアンブルのＬＴＦ１フィールドが示されている。
【００８９】
図１１Ａでは、ＳＵプリアンブルのＬＴＦ１フィールドは、ダブルガードインターバル（ＧＩ）、第１ＬＴＦシンボル（ＬＴＳ）、シングルＧＩおよび第２ＬＴＳを含む。図１１Ｂでは、ＭＵプリアンブルのＬＴＦ１フィールドは、ダブルＧＩ、第１ＬＴＳ、シングルＧＩおよび第２ＬＴＳを含む。ＭＵプリアンブルのＬＴＦ１フィールドにおけるシングルＧＩおよび第２ＬＴＳは、ＳＵプリアンブルのＬＴＦ１フィールドにおけるシングルＧＩおよび第２ＬＴＳに対して位相シフトされている（例えば、１８０°）。この位相差によって、受信機は、受信したパケットがＳＵパケットであるかＭＵパケットであるかを自動検出することができる。
【００９０】
ＳＵプリアンブルのＬＴＦ１フィールドにおけるＧＩおよびＬＴＳは、時間ドメインで、ＭＵプリアンブルのＬＴＦ１フィールドにおけるＧＩおよびＬＴＳと並べられる。更に、ＳＵプリアンブルおよびＭＵプリアンブルの両方におけるＬＴＦ１にわたって維持され、チャネル推定および精度の良い周波数同期が可能となる。図７において、第１ＬＴＦ生成モジュール５１０は、ＳＵプリアンブルのＬＴＦ１を生成し、第２ＬＴＦ生成モジュール５１２は、ＭＵプリアンブルのＬＴＦ１を生成する。
【００９１】
図１２Ａおよび図１２Ｂを参照して、ＳＵ／ＭＵを示す情報を提供する更なるオプションについて説明する。上記したＶＨＴＳＩＧＡ変調および／またはＬＴＦ１の使用に加えてまたは替えて、これらのオプションを使用することができる。図１２Ａでは、ＳＵ／ＭＵを示す情報は、ＶＨＴＳＩＧＡ１フィールドに提供されてもよい。図１２Ｂでは、ＳＵ／ＭＵを示す情報は、ＶＨＴＳＩＧＡ２フィールドに提供されてもよい。
【００９２】
図１２Ａでは、ＶＨＴＳＩＧＡ１フィールドをデコードするのに必要な情報が、ＶＨＴＳＩＧＡ１フィールドの終わりの部分に含まれてもよく、それにより、受信機は、ＶＨＴＳＩＧＡ２フィールドをデコードする前にＶＨＴＳＩＧＡ１フィールドをデコードすることができる。例えば、エンコードモジュール５１４（図７に示す）が、情報は、ＶＨＴＳＩＧＡ１フィールドをエンコードするのにブロック畳み込み符号（Block Convolutional code：ＢＣＣ）を使用する場合、情報は、６ビットテールを含んでもよい。ＳＵ／ＭＵを示す情報は、ＳＵ／ＭＵビットまたはグループＩＤ（ＧＩＤ）フィールドの形式で、ＶＨＴＳＩＧＡ１フィールドに含められていてもよい。例えば、ＳＵ／ＭＵビットは、ＶＨＴＳＩＧＡ１フィールドの一番初めのビットであってもよい（すなわち、一番目のＶＨＴＳＩＧＡシンボルの一番目のビット）。ＧＩＤフィールドは、全て０または全て１のビットとした場合にＳＵパケットを、その他の値の場合にはＭＵパケットを示すようにしてもよい。ＶＨＴＳＩＧＡ２の前にＶＨＴＳＩＧＡ１をデコードすることにより、受信機は、マルチユーザＳＴＦ（ＭＵＳＴＦ）であるかを知ることができ、場合によっては、ＶＨＴＳＩＧＢフィールドが続くかを知ることができる。したがって、ＭＵＳＴＦを受信すると受信機は、ＡＧＣ利得をリセットする準備ができる。
【００９３】
図１２Ｂでは、ＶＨＴＳＩＧＡ１フィールドおよびＶＨＴＳＩＧＡ２フィールドをデコードするのに必要な情報が、ＶＨＴＳＩＧＡ２フィールドの終わりの部分に含まれてもよい。例えば、エンコーダモジュール５１４は、ＶＨＴＳＩＧＡ２フィールドの終わりの部分に、１つの６ビットテールを含んでもよい。これにより、受信機は、ＭＵＳＴＦであるか否か、および、場合によっては、ＶＨＴＳＩＧＡ２フィールドをデコードした後にのみＶＨＴＳＩＧＢフィールドが続くかを知ることができる。直後のＭＵＳＴＦに基づいてＡＧＣ利得をリセットするのに十分な時間を受信機に与えるために、ＭＵＳＴＦはシングルシンボルではなく、ダブルシンボルとなっている。ＭＵＳＴＦは、ＯＦＤＭシンボル２つ分の期間を有するので、ＭＵ受信機は、ＶＨＴＳＩＧＡをデコードし、受信したパケットがＳＵパケットであるかＭＵパケットであるかを判断し、パケットがＭＵパケットである場合にはＭＵＳＴＦに基づいてＡＧＣ利得をリセットするのに十分な時間を有する。図７に示す第２プリアンブル生成モジュール５０２が、ダブルシンボルを有するＭＵＳＴＦを生成する。
【００９４】
ＳＵであるかＭＵであるかを示す情報を提供する更なるオプションについて説明する。図７に示す変調モジュール５０４は、ＭＵパケットにおける使用されていないコンスタレーション軸またはＶＨＴＳＩＧＡのトーンに、更なる情報を付加することができる。例えば、第１オプションでは、変調モジュール５０４は、ＳＵパケット内のＶＨＴＳＩＧＡをＢＰＳＫまたはＱＢＰＳＫで変調する。すなわち、コンスタレーションポイントの全ての信号エネルギーは、ＩレールまたはＱレールである。変調モジュール５０４は、ＭＵパケットにおけるＶＨＴＳＩＧＡに対して同じ変調を使用して、更に、一部のまたは全てのデータ／パイロットトーンに対して、その他に使用されている軸において、より弱いシーケンスを適用してもよい。受信機がパケット受信すると、受信機は、更なる情報を相関づけして、相関が閾値以上である場合にはパケットがＭＵパケットであり、相関が閾値未満である場合にはパケットがＳＵパケットであると判断する。
【００９５】
第２オプションでは、変調モジュール５０４は、ＳＵパケットおよびＭＵパケットにおけるＶＨＴＳＩＧＡを次のように変調する。ＳＵパケットおよびＭＵパケットにおいて、ＳＵプリアンブルおよびＭＵプリアンブルのＶＨＴＳＩＧＡフィールドは、ＳＵ／ＭＵを示す情報のような情報を搬送するデータトーン（サブキャリア）の同じセットを使用する。複数のガードトーンが、データトーンのセットの両端を囲む。ＳＵパケットにおいて（より詳細には、ＳＵプリアンブルにおいて）、変調モジュール５０４は、ＶＨＴＳＩＧＡのデータトーンを変調するが、データトーンの両側のガードトーンは変調しない。ＭＵパケットにおいて（より詳細には、ＭＵプリアンブルにおいて）、変調モジュール５０４は、データトーンの両側のガードトーンは変調しない。例えば、変調モジュール５０４は、バンドの両側に配置された２つのガードトーンに、固定されたコンスタレーションを適用する。受信機は、使用されていないコンスタレーション軸に更なる情報が存在するかしないかに基づいて、または、ガードトーンが変調されているかいないか（すなわち使用されていない）に基づいて、受信パケットがＳＵパケットであるかＭＵパケットであるかを検出することができる。
【００９６】
ＶＨＴＳＩＧＡサブフィールドの更なる設計について以下に説明する。設計は、ＶＨＴＳＩＧＡサブフィールドにおける６ビットテール、ＶＨＴＳＩＧＡサブフィールド間のビット割り当て、ＭＵデータレートを示す情報、および、パケット長さ／期間を示す情報のような情報の配置に関する。
【００９７】
ＶＨＴＳＩＧＡフィールドは、ＳＵプリアンブルおよびＭＵプリアンブルにおいて、８０２．１１ａｈ／ａｆ規格で可能なＰＨＹ機能に基づいて精密な調整を行った８０２．１１ｎＨＴＳＩＧフィールドおよび／または８０２．１１ａｃＶＨＴＳＩＧＡフィールドの位置に配置される。例えば、ＰＨＹ機能は、複数の空間ストリーム、ＰＨＹモード等を含む。ＳＵプリアンブルおよびＭＵプリアンブルのＶＨＴＳＩＧＡフィールドは、８０２．１１ｎ／ａｃ規格と比較して、少ないビットを有する。これは、以下に説明するように、ＶＨＴＳＩＧＡフィールドは、ＬＥＮＧＴＨ（長さ）フィールドを含む可能性が低いからである。更に、８０２．１１ａｈ／ａｆ規格は、８０２．１１ｎ／ａｃ規格と比較して、データレートに関しての選択肢が少ない。更に、データレートを示すのに使用されるＶＨＴＳＩＧＡフィールドのビットの数は、８０２．１１ｎ／ａｃ規格よりも少ない。
【００９８】
ＶＨＴＳＩＧＡフィールドは、フィールドの終わりの部分に１つの６ビットテールを有してもよい、または、各ＶＨＴＳＩＧＡシンボルが自身の６ビットテールを有して、受信機は、ＶＨＴＳＩＧＡフィールドをシンボル毎にデコードして、ＰＨＹ情報の一部を早く取得してもよい（例えば、ＳＵ／ＭＵを示す情報を取得して、ＶＨＴＳＩＧＡに続いてＭＵＳＴＦが存在するかを判断する）。ＶＨＴＳＩＧＡフィールドは、ＰＨＹの機能全ての情報ビットを搬送するのに必要な、任意の数のシンボルを含んでもよい。例えば、ＶＨＴＳＩＧＡフィールドは、２つのシンボル（ＬＳＩＧ／ＶＨＴＳＩＧＡ０を含まない）または３つのシンボル（ＬＳＩＧ／ＶＨＴＳＩＧＡ０を含む）を含んでもよい。例えば、ＳＵプリアンブルは、２シンボルＶＨＴＳＩＧＡ（すなわち、ＶＨＴＳＩＧ１およびＶＨＴＳＩＧ２）を含んでもよく、ＭＵプリアンブルは、３シンボル共通ＳＩＧフィールド（すなわち、ＳＩＧ／ＶＨＴＳＩＧＡ０、ＶＨＴＳＩＧ１およびＶＨＴＳＩＧ２）を含んでもよい。
【００９９】
図１３Ａから図１３Ｄを参照して、共通ＳＩＧフィールド（例えば、２または３シンボル）における様々なビット割り当てについて説明する。図示の例では、３つのシンボルが示されている。図１３Ａでは、ＬＳＩＧ／ＶＨＴＳＩＧＡ０は６テールビットおよびパリティチェックで終了しているので、受信機は、ＶＨＴＳＩＧＡの前にＬＳＩＧを完全にデコードすることができる。図１３Ｂでは、全てのＳＩＧシンボルがまとめてエンコードされ、これらの間でまとめてビットが割り当てられる。共にエンコードされたＳＩＧシンボルは、ＶＨＴＳＩＧＡフィールドの終わり部分に１つの６ビットテール有して終了する。図１３Ｃでは、ＬＳＩＧ／ＶＨＴＳＩＧＡにおけるシンボルはそれぞれ、６ビットテールで終わるので、受信機は、ＳＵ／ＭＵを早期に検出するために、ＰＨＹ情報をシンボル毎にデコードしてもよい。更なる変形例（例えば、図１３Ｄを参照）が可能である。ＶＨＴＳＩＧＡフィールドが２シンボルを含む場合、１つの６テールビットを、ＶＨＴＳＩＧＡフィールドの終わりに含めてもよい、または、シンボルそれぞれが自身のテールビットを有してもよい。
【０１００】
パケットの長さおよび継続期間を示すための、ＶＨＴＳＩＧＡ（２シンボルまたは３シンボル）におけるサブフィールドの配置について説明する。ＬＳＩＧ／ＶＨＴＳＩＧＡフィールドは、ビット数でパケットの長さ（またはペイロード）を示すＬＥＮＧＴＨサブフィールドを含んでもよい。これに替えて、ＬＳＩＧ／ＶＨＴＳＩＧＡフィールドは、ＯＦＤＭシンボルの数でパケットの継続期間（またはペイロード）を示すＤＵＲＡＴＩＯＮサブフィールドを含んでもよい。実際のパケット継続期間は、ＬＥＮＧＴＨサブフィールドにおける情報とＭＣＳ／レートサブフィールドにおける情報とを組み合わせて使用することにより特定することができる。
【０１０１】
ＭＵプリアンブルが、ＬＳＩＧ／ＶＨＴＳＩＧＡフィールドにおいて３シンボルを使用する場合は、Ｌ−ＬＥＮＧＴＨサブフィールドおよびＬ−レートサブフィールドをＬＳＩＧフィールドで使用してパケット継続期間を示すことができ、残りのマルチユーザＰＨＹ情報ビット（全てのユーザに共通）は、ＶＨＴＳＩＧＡの残りの２シンボルによって搬送される。
【０１０２】
その他のビット割り当てについても考える。例えば、ＳＵプリアンブルはＬＥＮＧＴＨサブフィールドを使用し、ＭＵプリアンブルはＤＵＲＡＴＩＯＮサブフィールドを使用してもよい。マルチユーザの場合、データの長さはユーザ毎に異なることから、パケット継続期間は、長さフィールドよりも期間フィールドを使用することによってより正確に特定することができる。マルチユーザの場合のパケット継続期間が、ＭＣＳ／レートサブフィールドからの長さサブフィールドおよびデータレートを使用して決定される場合、全データレートのうちの最も遅いものを使用して、意図されない受信機がＭＵパケットの終わりまでバックオフするのを確かにする。ＶＨＴＳＩＧＢフィールドが使用される場合およびユーザ毎のＭＣＳ情報がＶＨＴＳＩＧＢフィールドに存在する場合、ＭＵプリアンブルにおいてパケット期間をユーザに示すのに、ＶＨＴＳＩＧＡフィールドにおいて"継続期間フィールド"が使用される。
【０１０３】
図１４を参照して、１ユーザ当たりのＮｓｔｓ（すなわち、空間−時間ストリームまたは空間ストリームの数）およびＭＣＳ情報を、ＶＨＴＳＩＧＡフィールド内で割り当てることができ、それにより、ＶＨＴＳＩＧＢフィールドが必要なくなり、ＭＵプリアンブルから削除することができるまたは必要に応じて設けることができる。例えば、ＭＵクライアントはそれぞれ、８０２．１１ａｃよりも少ないＮｓｔｓおよび小さいデータレートを可能にしてもよい。ＬＳＩＧ／ＶＨＴＳＩＧＡフィールドは、例えば、少ないＰＨＹモード、可能であればビット長を短くする、ＶＨＴＳＩＧＡの終わり部分のシングル６ビットテールを１つのみにする（ＬＳＩＧにテールビットが存在しない）等によって、より多くの自由なビットを有してもよい。１ユーザ当たりのＮｓｔｓおよびＭＣＳ情報を、ＶＨＴＳＩＧＢフィールドから移動させて、多くの異なる態様でＶＨＴＳＩＧＡフィールド内に割り当てることができる。
【０１０４】
第１オプションでは、図示するように、各ユーザに対するＮｓｔｓおよびＭＣＳ情報は、ＶＨＴＳＩＧＡフィールド内の異なるフィールドに列挙されてもよい。図示の例では、多くても４人のユーザ（ｕ０からｕ３）が許可され、Ｎｓｔｓ＝２／ユーザ、ＭＣＳｓ＝ＭＣＳ０−ＭＣＳ７／空間ストリーム／ユーザである。第２オプションでは、図７に示す符号化モジュール５１４は、各ユーザのＮｓｔｓ＋ＭＣＳを一緒に、各ユーザに対する"ＭＣＳ"と称されるルックアップテーブルにエンコードしてもよく、このルックアップテーブルを、ＶＨＴＳＩＧＡフィールド内にユーザ毎に１つ１つ列挙してもよい。第３オプションでは、符号化モジュール５１４は、全ユーザのＮｓｔｓ＋ＭＣＳをまとめて符号化して、図７に示すデータ圧縮モジュール５１６が、ＶＨＴＳＩＧＡフィールドにおけるルックアップテーブルに符号化した情報を圧縮してもよい。
【０１０５】
いわゆる"ＭＵプリアンブル"は、実際には、ＳＵパケットとして使用されてもよい。例えば、マルチユーザグループでは、送信するデータを有するユーザが１人である場合が存在する。したがって、ＭＵパケットは、ＭＵプリアンブル形式を使用しながら、１ユーザのデータのみを送信する。言い換えると、以下に記載するＭＵの場合は、ＭＵプリアンブル形式を再利用してＳＵ送信が実行される場合を含む。したがって、本開示では、ＳＵプリアンブルおよびＭＵプリアンブルはそれぞれ、"ショートプリアンブル"および"ロングプリアンブル"と称されてもよい。すなわち、ＳＵプリアンブルの長さおよび継続期間は、ＭＵプリアンブルよりも短い。
【０１０６】
図１５Ａおよび図１５Ｂを参照して、本開示の第２オプションに従ったプリアンブル設計が示されている。図１５Ａでは、混合モードに基づいてＳＵプリアンブルを含むシングルユーザ（ＳＵ）パケット９００が示されている。図１５Ｂでは、混合モードに基づいてＭＵプリアンブルを含むＭＵパケット９５０が示されている。
【０１０７】
図１５Ａでは、ＳＵプリアンブルは、レガシー部分およびＨＴ部分を含む。レガシー部分は、Ｌ−ＳＴＦ、Ｌ−ＬＴＦ、Ｌ−ＳＩＧ、および、ＶＨＴＳＩＧＡ１およびＶＨＴＳＩＧＡ２を含むＶＨＴＳＩＧＡフィールドを含む。ＨＴ部分は、ＶＨＴＳＩＧＡ１フィールドおよびＶＨＴＳＩＧＡ２フィールド（ＶＨＴＳＩＧＡフィールドと総称する）に続くＶＨＴＳＴＦから開始する。ＨＴ部分は、ＶＨＴＳＴＦおよびＶＨＴＬＴＦを含む。ＳＵプリアンブルの次には、ＶＨＴデータが続く。
【０１０８】
図１５Ｂでは、ＭＵプリアンブルは、共通部分およびＭＵ部分を含む。共通部分は、Ｌ−ＳＴＦ、Ｌ−ＬＴＦ、Ｌ−ＳＩＧ、ＶＨＴＳＩＧＡ１およびＶＨＴＳＩＧＡ２を含む。ＭＵ部分は、ＶＨＴＳＩＧＡフィールドに続く、ＶＨＴＳＴＦで開始する。ＭＵ部分は、パケットの送信先である全ユーザの全空間ストリームをトレーニングするＶＨＴＳＴＦ並びにＶＨＴＬＴＦ、および、必要に応じて（点線で示されている）ＶＨＴＳＩＧＢフィールドを含む。ＭＵプリアンブルの後には、ＶＨＴデータが続く。
【０１０９】
ＳＵ／ＭＵを示す情報が、ＶＨＴＳＩＧＡフィールドまたはＬＳＩＧフィールドに提供される。意図されない受信機（例えば、ＳＵのみの受信機）および意図した受信機は、受信したパケットがＳＵパケット９００またはＭＵパケット９５０であるかを、ＳＵプリアンブルまたはＭＵプリアンブルにおけるＬＳＩＧフィールドまたはＶＨＴＳＩＧＡフィールドをデコードすることにより検出することができる。
【０１１０】
ＳＵプリアンブルＭＵプリアンブルの両方が、混合モードであり、ＶＨＴＳＴＦで開始される第２部分を有する。言い換えると、ＳＵプリアンブルおよびＭＵプリアンブルは、一定のフォーマットを有する。したがって、ＳＵ／ＭＵを示す情報は、ＶＨＴＳＩＧＡコンスタレーションを回転させることによって提供する必要はない。
【０１１１】
ＳＵ／ＭＵを示す情報を提供するべく、ＶＨＴＳＩＧＡ１およびＶＨＴＳＩＧＡ２は、異なる態様で変調することができる。例えば、ＶＨＴＳＩＧＡ１−ＢＰＳＫとＶＨＴＳＩＧＡ２−ＱＢＰＳＫ、ＶＨＴＳＩＧＡ１−ＱＢＰＳＫとＶＨＴＳＩＧＡ２−ＱＢＰＳＫ、ＶＨＴＳＩＧＡ１−ＢＰＳＫとＶＨＴＳＩＧＡ２−ＢＰＳＫ（８０２．１１ａｈ／８０２．１１ａｆに平行して規定されている８０２．１１ａプリアンブルが存在しない場合）、または、ＶＨＴＳＩＧＡ１−ＱＢＰＳＫとＶＨＴＳＩＧＡ２−ＢＰＳＫが挙げられる。
【０１１２】
第２オプションに係るプリアンブル設計のＶＨＴＳＩＧＡサブフィールドの更なる設計は、第１オプションで説明したものと同様であり、その説明を省略する。第１オプションに係るプリアンブル設計の説明で記載したＶＨＴＳＩＧＡの内容は、第２オプションに係るプリアンブル設計におけるＬＳＩＧフィールドにも適用可能であり、したがって、その説明を省略する。
【０１１３】
第１オプションに係るプリアンブル設計であるか第２オプションに係るプリアンブル設計であるかにかかわらず、図７に示す基地局４０２および図６に示すクライアント局４０４は、次のように動作する。第１プリアンブル生成モジュール５００は、第１パケットに対して第１プリアンブルを生成する。第１パケットはシングルユーザパケットである。第１プリアンブルは、（ｉ）第１ショートトレーニングフィールド、（ｉｉ）第１ロングトレーニングフィールド、（ｉｉｉ）第１信号フィールドおよび（ｉｖ）第２信号フィールドを含む。第２プリアンブル生成モジュール５０２は、第２パケットに対して第２プリアンブルを生成する。第２プリアンブルは、第１プリアンブルよりも長い。第２パケットは、マルチユーザパケットである。第２プリアンブルは、（ｉ）第２ショートトレーニングフィールド、（ｉｉ）第２ロングトレーニングフィールド、（ｉｉｉ）第３信号フィールドおよび（ｉｖ）第４信号フィールドを含む。一実装形態では、変調モジュール５０４は、第１プリアンブルの（ｉ）第１信号フィールドおよび（ｉｉ）第２信号フィールドのうちの少なくとも１つを、第２プリアンブルの（ｉ）第３信号フィールドおよび（ｉｉ）第４信号フィールドのうちの少なくとも１つとは異なる態様で変調する。
【０１１４】
電気電子技術者協会（ＩＥＥＥ）が規定する８０２．１１ａｈまたは８０２．１１ａｆ規格に従って、サブ１ＧＨｚで送信されたパケットを受信したことに応じて、（ｉ）第１信号フィールドと第３信号フィールドとの変調の違い、または、（ｉｉ）第２信号フィールドと第４信号フィールドとの変調の違いにより、受信機は、受信したパケットが第１パケットであるか第２パケットであるかを判断することができる。更に、第２パケットではなく、第１パケットを処理可能な受信機に応じて、および、第２パケットを受信する受信機に応じて、第２プリアンブルの第３信号フィールドおよび第４信号フィールドのうちの少なくとも１つによって、受信機は、（ｉ）第２パケットの継続期間を特定することができ、（ｉｉ）第２パケットの継続期間の間は、サブ１ＧＨｚチャネルにアクセスしないようにすることができる。
【０１１５】
一例として、変調モジュール５０４は、（ｉ）第１プリアンブルの第１信号フィールド並びに第２信号フィールド、および、（ｉｉ）第２プリアンブルの第３信号フィールドを第１変調を使用して変調し、第２プリアンブルの第４信号フィールドを第２変調を使用して変調する。
【０１１６】
送信モジュール４５６は、電気電子技術者協会（ＩＥＥＥ）が規定する８０２．１１ａｈまたは８０２．１１ａｆ規格に従って、サブ１ＧＨｚで、基地局４０２からの第１パケットおよび第２パケットのうちの少なくとも１つを送信する。受信モジュール（例えば、ＰＨＹ４２８）は、クライアント局（例えば、クライアント局４０４）から受信したパケットが、第１パケットまたは第２パケットであるかを、（ｉ）第１信号フィールドと第３信号フィールドとの変調の違い、または、（ｉｉ）第２信号フィールドと第４信号フィールドとの変調の違いに基づいて判断する。
【０１１７】
第１パケット生成モジュール５０６は、第１パケットを生成する。第１パケットは、第１プリアンブル、第１の複数のロングトレーニングフィールド、および、シングル（１人の）ユーザに対するデータを含む第１データフィールドを含む。第２パケット生成モジュール５０８は、第２パケットを生成する。第２パケットは、第２プリアンブル、マルチユーザショートトレーニングフィールド、第２の複数のロングトレーニングフィールド、および、複数のユーザに対するデータまたはマルチユーザ形式を使用してデータを送信するシングルユーザに対するデータを含む第２データフィールドを含む。
【０１１８】
別の実装形態では、第１ロングトレーニングフィールド生成モジュール５１０は、第１プリアンブルの第１ロングトレーニングフィールドを生成する。第１ロングトレーニングフィールドは、ダブルガードバンドを含み、これに続いて、第１ロングトレーニングシンボル、第１シングルガードバンド、および、第２ロングトレーニングシンボルを含む。第２ロングトレーニングフィールド生成モジュール５１２は、第２プリアンブルの第２ロングトレーニングフィールドを生成する。第２ロングトレーニングフィールドは、ダブルガードバンドを含み、これに続いて、第１ロングトレーニングシンボル、第２シングルガードバンド、および、第３ロングトレーニングシンボルを含む。第２シングルガードバンドは、第１シングルガードバンドに対して位相シフトされている。第３ロングトレーニングシンボルは、第２ロングトレーニングシンボルに対して位相シフトされている。受信モジュール（例えば、ＰＨＹ４２８）は、クライアント局（例えば、クライアント局４０４）が受信したパケットが第１パケットであるかまたは第２パケットであるかを、（ｉ）第１シングルガードバンドと第２シングルガードバンドとの位相差、（ｉｉ）第２ロングトレーニングフィールドと第３ロングトレーニングフィールドとの位相差に基づいて判断する。
【０１１９】
別の実装形態では、第１プリアンブル生成モジュール５００は、第１信号フィールドのビットを第１ステート（状態）に設定する。第２プリアンブル生成モジュール５０２は、第３信号フィールドのビットを第２ステートに設定する。第２ステートは、第１ステートとは反対のステートである。エンコードモジュール５１４は、第１信号フィールド、第２信号フィールド、第３信号フィールドおよび第４信号フィールドをエンコードし、第１信号フィールドの終わりに第１信号フィールドをデコードするデータを含み、第３信号フィールドの終わりに第３信号フィールドをデコードするデータを含む。受信モジュール（例えば、ＰＨＹ４２８）は、（ｉ）第１信号フィールドの終わりの部分におけるデータに基づいて第１信号フィールドをデコードする、または、（ｉｉ）第３信号フィールドの終わりの部分におけるデータに基づいて第３信号フィールドをデコードし、第２信号フィールドまたは第４信号フィールドをデコードする前に、第１信号フィールドまたは第３信号フィールドのビットのステートに基づいて、クライアント局（例えば、クライアント局４０４）が受信したパケットが第１パケットであるか第２パケットであるかを判断する。
【０１２０】
ある実装形態では、エンコードモジュール５１４は、（ｉ）第１信号フィールドおよび第２信号フィールドを共にエンコードし、（ｉｉ）第３信号フィールドおよび第４信号フィールドを共にエンコードし、第２信号フィールドの終わりの部分に第１信号フィールドおよび第２信号フィールドをデコードするためのデータを含み、第４信号フィールドの終わりの部分に第３信号フィールドおよび第４信号フィールドをデコードするためのデータを含む。第２パケット生成モジュール５０８は、第２パケットを生成する。第２パケットは、第２プリアンブル、マルチユーザショートトレーニングフィールド、複数のマルチユーザロングトレーニングフィールド、および、ペイロードを含む。マルチユーザショートトレーニングフィールドは、複数のシンボルの長さを有する。受信モジュール（例えば、ＰＨＹ４２８）は、（ｉ）第２信号フィールドの終わりの部分におけるデータに基づいて第１信号フィールドをデコードする、または、（ｉｉ）第４信号フィールドの終わりの部分におけるデータに基づいて第３信号フィールドをデコードし、第１信号フィールドまたは第３信号フィールドのビットのステートに基づいて、クライアント局（例えば、クライアント局４０４）が受信したパケットが第１パケットであるか第２パケットであるかを判断する。受信したパケットが第２パケットであると判断された場合には、マルチユーザショートトレーニングフィールドの長さによって、受信モジュールは、第２パケットの複数のロングトレーニングフィールドを受信する前に、受信モジュールの自動利得制御の利得をリセットすることができる。
【０１２１】
別の実装形態では、二位相偏移変調を使用する場合に、変調モジュール５０４は、使用されない（ｉ）コンスタレーション軸または（ｉｉ）トーンに情報を付加し、この情報は、パケットが第１パケットであるか第２パケットであるかを示す。
【０１２２】
別の実装形態では、第３信号フィールドおよび第４信号フィールドのうちの少なくとも１つが、マルチユーザに対するユーザ固有情報を含み、第２パケットは、ユーザ固有の情報を搬送するために、第２の複数のロングトレーニングフィールドに続く更なる信号フィールドを含まない。ユーザ固有情報は、（ｉ）物理層（ＰＨＹ）モード、（ｉｉ）変調および符号化スキーム、（ｉｉｉ）複数ユーザの１ユーザあたりのストリームの数を含む。第２プリアンブル生成モジュール５０２は、複数のユーザのそれぞれについてユーザ固有情報を、第３信号フィールドおよび第４信号フィールドのうちの少なくとも１つに格納する。エンコーダモジュール５１４は、複数のユーザそれぞれについてのユーザ固有情報をまとめてエンコードする。第２プリアンブル生成モジュール５０２は、複数のユーザそれぞれについての、まとめてエンコードされたユーザ固有情報を、第３信号フィールドおよび第４信号フィールドのうちの少なくとも１つに格納する。データ圧縮モジュール５１６は、複数のユーザ全てについて、エンコードされたユーザ固有情報をまとめて圧縮する。第２プリアンブル生成モジュール５０２は、複数のユーザ全てについての、圧縮され、まとめてエンコードされたユーザ固有の情報を、第３信号フィールドおよび第４信号フィールドのうちの１つに格納する。
【０１２３】
別の実装形態では、第１プリアンブル生成モジュール５００は、第１信号フィールドおよび第２信号フィールドのうちの少なくとも１つに長さフィールドを含み、この長さフィールドは、第１パケットの第１データフィールドの長さを示す。第２プリアンブル生成モジュール５０２は、第３信号フィールドおよび第４信号フィールドのうちの少なくとも１つに継続期間フィールドを含み、継続期間フィールドは、第１パケットの第２データフィールドの継続期間を示す。第１データフィールドの長さは、第１パケットの第１データフィールドに、バイト数の形式で示される。第２データフィールドの継続期間は、第２パケットの第２データフィールドにおいて、シンボル数の形式で示される。ある実装形態では、第２パケットの第２データフィールドの継続期間は、第２データフィールドにおいて、バイト数で表される。受信モジュール（例えば、ＰＨＹ４２８）は、（ｉ）第３信号フィールドおよび第４信号フィールドのうちの少なくとも１つにおけるバイト数、および、（ｉｉ）複数のユーザによって使用されるデータレートの最も低い値に基づいて、第２パケットの第２データフィールドの継続期間を判断する。
【０１２４】
クロック生成モジュール４５０（図５に示す）は、第１周波数を有する第１クロック信号を生成する。第１周波数は、電気電子技術者協会（ＩＥＥＥ）が規定する８０２．１１ｎまたは８０２．１１ａｃ規格に従って生成された第２クロック信号の第２クロック周波数より低い。一例として、第１周波数は、第２周波数の１０分の１である。第１プリアンブル生成モジュール５００は、第１クロック信号に基づいて、第１プリアンブルを生成する。第２プリアンブル生成モジュール５０２は、第１クロック信号に基づいて、第２プリアンブルを生成する。
【０１２５】
次に、図１６には、本開示に係るプリアンブルを生成し、本開示に係るプリアンブルを含むパケットを送信する方法１０００が示されている。方法１０００は、基地局４０２によって実装されてもよい。段階１００２において、制御は、シングルユーザ（ＳＵ）パケットまたはマルチユーザ（ＭＵ）パケットを送信すべきか判断する。段階１００４において、ＳＵパケットを送信すべきと判断した場合、制御は、第１変調（例えば、ＱＢＰＳＫ）を使用して、ＳＵプリアンブルにおけるＶＨＴＳＩＧＡフィールド（例えば、ＶＨＴＳＩＧＡ１およびＶＨＴＳＩＧＡ２）の第１および第２サブフィールド（シンボル）を変調する。段階１００６において、ＳＵプリアンブルを含むＳＵパケットを、８０２．１１ａｈまたは８０２．１１ａｆ規格に従って、サブ１ＧＨｚチャネルで、送信する。段階１００８において、ＭＵパケットを送信すべきと判断した場合、制御は、第１変調（例えば、ＱＢＰＳＫ）を使用して、ＭＵプリアンブルにおけるＶＨＴＳＩＧＡフィールドの第１サブフィールド（シンボル）（例えば、ＶＨＴＳＩＧＡ１）を変調し、第２変調（例えば、ＢＰＳＫ）を使用して、ＭＵプリアンブルにおけるＶＨＴＳＩＧＡフィールドの第２サブフィールド（シンボル）（例えば、ＶＨＴＳＩＧＡ２）を変調する。段階１０１０において、制御は、ＭＵプリアンブルを含むＭＵパケットを、８０２．１１ａｈまたは８０２．１１ａｆ規格に従って、サブ１ＧＨｚチャネルで、送信する。
【０１２６】
図１７には、本開示に係るプリアンブルを含むパケットが、ＳＵパケットであるかＭＵパケットであるかを自動的に検出する方法１１００が示されている。段階１１０２において、制御は、８０２．１１ａｈまたは８０２．１１ａｆ規格に従って、サブ１ＧＨｚチャネルで送信されたパケットを受信したかを判断する。段階１１０４において、制御は、プリアンブルの一部分（例えば、プリアンブルにおけるＶＨＴＳＩＧＡフィールド（例えば、ＶＨＴＳＩＧＡ１）の第２サブフィールド（シンボル）の変調に基づいて）、パケットがＳＵパケットであるかＭＵパケットであるかを自動検出する。段階１１０６において、パケットの種類に基づいて、受信機が、パケットの意図された受信装置であるか、パケットの意図されない受信装置であるかを判断する。段階１１０８において、受信機がパケットの意図された受信装置である場合（例えば、ＳＵ受信機がＳＵパケットを受信する場合、または、ＭＵ受信機がＭＵパケットを受信する場合）、制御はパケットを通常通りに処理する。段階１１１０において、受信機がパケットの意図されない受信装置である場合（例えば、ＳＵ受信機がＭＵパケットを受信する場合）、制御は、プリアンブルの一部分に基づいてパケットの継続期間を判断し、そのパケットの継続期間の間はバックオフする。
【０１２７】
上記の説明は、単なる例に過ぎず、本開示の内容、用途または使用を限定することを意図していない。本開示の幅広い教示を、様々な形式で実装可能である。したがって、本開示は特定の例を含むが、本開示の真の範囲はこれら特定の例に限定されず、図面、明細書および添付の特許請求の範囲を参照することにより、その他の変形例が明らかとなるであろう。説明を明確にすることを目的として、図面において同様な要素には同じ参照番号が付与されている。本明細書で使用されている、"Ａ、ＢおよびＣのうちの少なくとも１つ"という表現は、非排他的論理ＯＲを使用して、論理の（ＡまたはＢまたはＣ）という意味に解釈されるべきである。法の段階は、本開示の原理を変更することなく、異なる順番で（または同時に）実行されてもよいことは明らかである。
【０１２８】
また、本明細書で使用されている"モジュール"という言葉は、特定用途向け集積回路（ＡＳＩＣ）、電子回路、組み合わせ論理回路、フィールドプログラマブル・ゲートアレイ（ＦＰＧＡ）、コードを実行する（共有、専用またはグループ）プロセッサ、上記の機能を提供するその他の好適な構成要素、または、システムオンチップのような、上記の一部または全ての組み合わせを、または、これらの一部を意味する。また、モジュール"という言葉は、プロセッサによって実行されるコードを格納する（共有、専用、または、グループ）メモリを含む場合がある。
【０１２９】
上記で使用されている"コード"という言葉は、ソフトウェア、ファームウェアおよび／またはマイクロコードを含む場合があり、プログラム、ルーチン、機能、分類および／またはオブジェクトを意味する場合がある。上記で使用されている"共有"という言葉は、１つの（共有）プロセさを使用して、複数のモジュールからのコードの一部または全てを実行可能であることを意味する。更に、複数のモジュールからのコードの一部または全ては、１つの（共有）メモリによって格納されてもよい。上記で使用した"グループ"という言葉は、１つのモジュールからのコードの一部または全てを、複数のプロセッサからなるグループを使用して実行してもよいことを意味する。更に、１つのモジュールからのコードの一部または全てを、複数のメモリからなるグループを使用して格納してもよい。
【０１３０】
本明細書に記載される装置および方法は、１以上のプロセッサによって実行される１以上のコンピュータプログラムによって実装されてもよい。コンピュータプログラムは、一時的でない有形コンピュータ可読媒体に格納されるプロセッサ実行可能命令を含む。コンピュータプログラムはまた、格納されたデータを含んでもよい。一時的でない有形コンピュータ可読媒体の非制限的例として、不揮発性メモリ、磁気記憶装置および光学記憶装置が挙げられる。
【図１】
0006016142.tif 000002
【図２Ａ】
0006016142.tif 000003
【図２Ｂ】
0006016142.tif 000004
【図２Ｃ】
0006016142.tif 000005
【図３Ａ】
0006016142.tif 000006
【図３Ｂ】
0006016142.tif 000007
【図４】
0006016142.tif 000008
【図５】
0006016142.tif 000009
【図６】
0006016142.tif 000010
【図７】
0006016142.tif 000011
【図８Ａ】
0006016142.tif 000012
【図８Ｂ】
0006016142.tif 000013
【図８Ｃ】
0006016142.tif 000014
【図９Ａ】
0006016142.tif 000015
【図９Ｂ】
0006016142.tif 000016
【図９Ｃ】
0006016142.tif 000017
【図１０Ａ】
0006016142.tif 000018
【図１０Ｂ】
0006016142.tif 000019
【図１０Ｃ】
0006016142.tif 000020
【図１１Ａ】
0006016142.tif 000021
【図１１Ｂ】
0006016142.tif 000022
【図１２Ａ】
0006016142.tif 000023
【図１２Ｂ】
0006016142.tif 000024
【図１３Ａ】
0006016142.tif 000025
【図１３Ｂ】
0006016142.tif 000026
【図１３Ｃ】
0006016142.tif 000027
【図１３Ｄ】
0006016142.tif 000028
【図１４】
0006016142.tif 000029
【図１５Ａ】
0006016142.tif 000030
【図１５Ｂ】
0006016142.tif 000031
【図１６】
0006016142.tif 000032
【図１７】
0006016142.tif 000033